(57)【要約】【課題】水栓柱とホースノズルの両方の機能を兼ね備えた体裁の良い水栓柱風ノズル支持スタンドを提供する。【解決手段】中実又は中空の柱体１の上端に散水ノズル３を保持する保持部２を設け、散水ノズル３のノズル先端部３ａを突出させる切欠部を備えた化粧カバー４を保持部２に取付けた構成とする。化粧カバー４を外して柱体１の上端に設けられた保持部２より散水ノズル３を取り外すだけで庭木や芝生に水をやったりすることができ、汚れた手足を洗いたいときは、保持部２のノズルサポーター２ｃ及びノズルフック２ｄに散水ノズル３を保持させたままで、水栓柱と同じように使用することができる。このように散水ノズル３としての機能と水栓柱としての機能を併せ持ったもので、その切換も容易で、化粧カバー４によって散水ノズル３の先端部３ａ以外が覆われるので、水栓柱風の外観を呈し体裁も良好である。【選択図】図１
2008157421.tif 000002
【特許請求の範囲】
【請求項１】
中実又は中空の柱体の上端に散水ノズルを保持する保持部を設け、散水ノズルのノズル先端部を突出させる切欠部を備えた化粧カバーを上記保持部に取付けたことを特徴とする水栓柱風ノズル支持スタンド。
【請求項２】
散水ノズルを保持する保持部が、柱体の左右いずれか一方の側面に連ねて形成された保持側板と、柱体の後面に連ねて形成された後板とからなるものであり、化粧カバーが、天板と、該天板から下方へ形成された側板と、該天板から下方へ形成された前板とからなるものであって、上記保持側板には、散水ノズルを支持する複数のノズルサポーターが設けられ、上記後板には、該ホース接続部に接続したホースを通す切欠溝が形成されていることを特徴とする請求項１に記載の水栓柱風ノズル支持スタンド。
【請求項３】
保持側板の軸受部に、操作レバーの軸を回動可能に挿通し、一方向に回動させると散水ノズルのノズルレバーを押し込んでいく水量調整カムを上記操作レバーの軸の先端に設けたことを特徴とする請求項２に記載の水栓柱風ノズル支持スタンド。
【請求項４】
水量調整カムを一方向に回動させて散水量が最大となるまでノズルレバーを押し込んだときに水量調整カムの回動を停止させる第一のカムストッパーと、水量調整カムを逆方向に回動させて散水されなくなるまでノズルレバーを戻したときに水量調整カムの回動を停止させる第二のカムストッパーを、保持側板に設けたことを特徴とする請求項３に記載の水栓柱風ノズル支持スタンド。
【請求項５】
底部に注水口を形成した排水パンを貯水パンの上に重ね、排水パン又は貯水パンの後端に上記柱体を立設したことを特徴とする請求項１ないし請求項４のいずれかに記載の水栓柱風ノズル支持スタンド。
【請求項６】
排水パンと貯水パンのいずれか一方の側壁に排水口を設けたことを特徴とする請求項５に記載の水栓柱風ノズル支持スタンド。
【発明の詳細な説明】
【技術分野】
【０００１】
本発明は、庭木に水をやったり洗車したりするのに用いる散水ノズルを保持して、散水ノズルとして使用できると共に水栓柱と同様の使い方もできる水栓柱風ノズル支持スタンド関するものである。
【背景技術】
【０００２】
庭木や芝生に水をやったり洗車したりするのは、水栓柱の蛇口に接続したホースや、より広範囲に散水できるようにホースの先端に散水ノズルを接続して行うことが多い。そのとき用いたホースは、収納用ホースリールに収納されていることが多く、ホースを収納するときにホースに付着した泥などで手足が汚れる。その汚れた手足を洗おうとすると、片手でホースや散水ノズルを持ちながらの作業になるので洗いに難く、上記のようにホースには泥などが付着しているので、洗った側の手でホースを持つとまた汚れてしまうという問題があった。従って、結局、水栓柱に接続したホースを蛇口から外して手足を洗わなければならず、非常に面倒であった。
【０００３】
このような事情から、例えば、ホース先端を保持する保持部と、保持部を支える脚部とを備えたホース保持台（特許文献１）や、ホースの先端部を保持するための止着部を有し、該止着部は脚の上端に取着され、該脚は所定の大きさと重量からなるベース上に樹立した支持スタンド（特許文献２）などが提案されている。
【０００４】
しかしながら、上記のホース保持台や支持スタンドなどは、水やりなどには問題ないが、脚部にホースを支持させた状態で手足を洗おうとして水栓柱のように使用すると、ホースがブラブラして片手で持ちながら作業しなければならなず使い難いという問題があった。また、脚部にホースを支持させただけのものなので、ホースが露出して体裁があまり良くない、という問題もあった。
【特許文献１】実開昭６２−００６５８４号公報
【特許文献２】実開平０２−１０１１８８号公報
【発明の開示】
【発明が解決しようとする課題】
【０００５】
本発明は上記の問題に鑑みてなされたもので、水栓柱とホースノズルの両方の機能を兼ね備えた体裁の良い水栓柱風ノズル支持スタンドを提供することを目的とする。
【課題を解決するための手段】
【０００６】
上記課題を解決するため本発明の水栓柱風ノズル支持スタンドは、中実又は中空の柱体の上端に散水ノズルを保持する保持部を設け、散水ノズルのノズル先端部を突出させる切欠部を備えた化粧カバーを上記保持部に取付けたことを特徴とするものである。
【０００７】
本発明の水栓柱風ノズル支持スタンドにおいては、散水ノズルを保持する保持部が、柱体の左右いずれか一方の側面に連ねて形成された保持側板と、柱体の後面に連ねて形成された後板とからなるものであり、化粧カバーが、天板と、該天板から下方へ形成された側板と、該天板から下方へ形成された前板とからなるものであって、上記保持側板には、散水ノズルを支持する複数のノズルサポーターが設けられ、上記後板には、該ホース接続部に接続したホースを通す切欠溝が形成されていることが好ましい。また、保持側板の軸受部に、操作レバーの軸を回動可能に挿通し、一方向に回動させると散水ノズルのノズルレバーを押し込んでいく水量調整カムを上記操作レバーの軸の先端に設けたことが好まく、水量調整カムを一方向に回動させて散水量が最大となるまでノズルレバーを押し込んだときに水量調整カムの回動を停止させる第一のカムストッパーと、水量調整カムを逆方向に回動させて散水されなくなるまでノズルレバーを戻したときに水量調整カムの回動を停止させる第二のカムストッパーを、保持側板に設けた水栓柱風ノズル支持スタンドがより好ましい。更に、底部に注水口を形成した排水パンを貯水パンの上に重ね、排水パン又は貯水パンの後端に上記柱体を立設することが好ましく、排水パンと貯水パンのいずれか一方の側壁に排水口を設けた水栓柱風ノズル支持スタンドがより好ましい。
【発明の効果】
【０００８】
本発明の水栓柱風ノズル支持スタンドは、例えば、庭木や芝生に水をやったり洗車したりするときは、柱体の上端の保持部より散水ノズルを取り外して使用すると通常の散水ノズルと同様の使い方ができる。また、洗車等で汚れた手足を洗うときやバケツに水を溜めるときなどには、該保持部に散水ノズルを保持させると従来の水栓柱と同様の使い方ができる。このように、本発明の水栓柱風ノズル支持スタンドは、散水ノズルとしての機能と水栓柱としての機能を併せ持ち、その切換も容易に行うことができる。しかも、化粧カバーを取付けていると、散水ノズルの先端部以外が化粧カバーで覆われ、外観は水栓柱そのものに見えるので体裁が良い。
【０００９】
特に、散水ノズルを保持する保持部が、柱体の左右いずれか一方の側面に連ねて形成された保持側板と、柱体の後面に連ねて形成された後板とからなるものであり、化粧カバーが、天板と、該天板から下方へ形成された側板と、該天板から下方へ形成された前板とからなるものであって、上記保持側板には、散水ノズルを支持する複数のノズルサポーターが設けられ、上記後板には、該ホース接続部に接続したホースを通す切欠溝が形成されている水栓柱風ノズル支持スタンドは、保持部と化粧カバーが柱体と良く調和するので見栄えが良く、簡単且つ迅速に散水ノズルを取付けたり取り外したりして、洗車等から手足を洗うための切換をすることができる。
【００１０】
また、保持側板の軸受部に、操作レバーの軸を回動可能に挿通し、一方向に回動させると散水ノズルのノズルレバーを押し込んでいく水量調整カムを上記操作レバーの軸の先端に設けた水栓柱風ノズル支持スタンドは、散水ノズルを保持部に保持させた状態で操作レバーを回動させると、水量調整カムが散水ノズルのノズルレバーを押し込んで所望の水量で水を出したり止めたりすることができるので、手足等を洗いやすく、水量の微調整もし易い。
【００１１】
更に、水量調整カムを一方向に回動させて散水量が最大となるまでノズルレバーを押し込んだときに水量調整カムの回動を停止させる第一のカムストッパーと、水量調整カムを逆方向に回動させて散水されなくなるまでノズルレバーを戻したときに水量調整カムの回動を停止させる第二のカムストッパーを、保持側板に設けた水栓柱風ノズル支持スタンドは、第一のカムストッパーと第二のカムストッパーによって操作レバーや水量調整カムの回動操作範囲が規制されるので、レバー等を回しすぎたり、水を出しすぎたりすることがなくなる。
【００１２】
また、底部に注水口を形成した排水パンを貯水パンの上に重ね、排水パンの後端に上記柱体を立設した水栓柱風ノズル支持スタンドは、貯水パンの内部に水を蓄えることで、柱体の転倒を防止する重りとしての役割を果たす。また、貯水パンが、排水パンからの排水を容易にするための嵩上げの役割も兼ねる。
【００１３】
更に、排水パンと貯水パンのいずれか一方の側壁に排水口を設けた水栓柱風ノズル支持スタンドは、散水ノズルから散水された水が排水口から排水されるので、通常の屋外用流しと同様の使い方ができる。
【発明を実施するための最良の形態】
【００１４】
以下、図面を参照して本発明の具体的な実施形態を詳述する。
【００１５】
図１は本発明の一実施形態に係る水栓柱風ノズル支持スタンドを示す分解斜視図、図２は同支持スタンドの正面図、図３は同支持スタンドの左側面図、図４は同支持スタンドの平面図、図５は同支持スタンドの構成部材である水量調整カムを一方向に回動させて散水量が最大となるまでノズルレバーを押し込んだときの状態を示す部分拡大図、図６は同支持スタンドの構成部材である水量調整カムを逆方向に回動させて散水されなくなるまでノズルレバーを戻したときの状態を示す部分拡大図、図７は同支持スタンドの保持部に設けられたノズルフックの拡大断面図である。
【００１６】
本発明の水栓柱風ノズル支持スタンドＳは、庭木や芝生に水をやったり洗車したりするため庭先や駐車場などに設置されるもので、図１に示すように、柱体１と、保持部２と、散水ノズル３と、化粧カバー４と、排水パン５と、貯水パン６とで構成されている。
【００１７】
柱体１は、ポリプロピレン、ポリエチレン、ポリ塩化ビニルなどの合成樹脂で角筒状に成形された中空構造の竪筒体であって、図１に示すように、その上端には散水ノズル３を保持する保持部２が設けられている。この柱体１に、木目調、レンガ調等の模様を施せば、庭との調和がとれ美観を向上させることができる。また、四隅を面取りした角筒体を柱体１として用いても体裁がよい。
尚、本実施形態では、中空の竪筒体を柱体１として用いているが、散水ノズル３を保持する保持部２以外を中実の四角柱としてもよい。
【００１８】
上記柱体１の上端に設けられた保持部２に保持される散水ノズル３は、図１、図３に示すように、握り部３ｂを持ってノズルレバー３ｄを押し込むと、その押し込む量に比例して先端部３ａから散水する通常の散水ノズルで、散水ノズルとして好適に使用されるピストル型をしている。そして、この散水ノズル３の後端には、ホース１０を接続するホース接続部３ｃが設けられている。この散水ノズル３は、先端部３ａを調整すると広範囲に散水したり、ホースと同様に狭範囲へ集中して放水する機能を有するものが好ましく、上記柱体１と同様に、木目調、レンガ調等の模様が施されたものが好ましい。
【００１９】
上記散水ノズル３を保持する保持部２は、図２、図３に示すように、柱体１の右側板を延設することで柱体１と一体に形成された保持側板２ａと、柱体１の後側板を延設することで柱体１と一体に形成された後板２ｂからなる。この保持側板２ａは、散水ノズル３の形状に合わせて前方へ突き出した略ホームベース型に形成されている。
尚、本実施形態では、柱体１の右側板を延設することで保持側板２ａが設けられているが、柱体１の左側板を延設して保持側板２ａを設けてもよいことは言うまでもなく、散水ノズル３を保持できるのであれば、保持側板２ａ又は後板１ｂのいずれか一方だけを設けてもよい。
【００２０】
図１、図３に示すように、保持側板２ａには、散水ノズル３を支持する３個のノズルサポーター２ｃ，２ｃ，２ｃと、散水ノズル３後端のホース接続部３ｃを差し込むノズルフック２ｄが設けられている。図３に示すように、ノズルサポーター２ｃは、散水ノズル３の握り部３ｂを周囲から保持する略半円形状のもので、曲面部分が散水ノズル３の握り部３ｂに当接するよう保持側板２ａから突設されている。このノズルサポーター２ｃは、散水ノズル３を保持すると共に散水ノズル３の位置決めの役割も果たす。また、散水ノズル３後端のホース接続部３ｃを差し込むノズルフック２ｄは、図７に示すように、断面が略Ｃ字形のもので、その弾性力を利用して散水ノズル３を挟み込んで固定するようになっている。このようなノズルサポーター２ｃとノズルフック２ｄで散水ノズル３を保持すると、取り外しが簡単であるのにも拘わらず、確実に散水ノズル３を保持することができる。
【００２１】
そして、保持側板２ａには、図２に示すように、後述する操作レバー７の軸７ａを挿通する挿通孔である軸受部２ｆが穿孔されている。図３に示すように、この軸受部２ｆの左右両側には、後述する水量調整カム８を一方向に回動させて散水量が最大となるまでノズルレバー３ｄを押し込んだとき、水量調整カム８の回動を停止させる第一のカムストッパー９ａと、水量調整カム８を逆方向に回動させて散水されなくなるまでノズルレバー３ｄを戻したとき、水量調整カム８の回動を停止させる第二のカムストッパー９ｂが突設されている。このように第一のカムストッパー９ａと第二のカムストッパー９ｂを設けたことによって、操作レバ７ーや水量調整カム８の回動操作範囲が規制されるので、操作レバー７を回しすぎてノズルレバー３ｄを壊すことがなくなる。
【００２２】
また、後板１ｂには、図１に示すように、散水ノズル３を該保持側板２ａに保持させたとき、ホース接続部３ｃに接続されるホース１０を通すための凹型に切欠いた切欠溝２ｅが形成されている。
【００２３】
図２に示すように、上記保持側板２ａには、回動させると散水ノズル３から散水したり止水状態にしたりすることができる回動式の操作レバー７が取付けられている。前述したようにこの操作レバー７は、その軸７ａを保持側板２ａの軸受部２ｆに回動可能となるように挿通して取付けられており、その軸７ａの先端には、操作レバー７を一方向に回動させると散水ノズル３のノズルレバー３ｄを押し込んでいく水量調整カム８が取付けられている。
【００２４】
水量調整カム８は、図５、図６に示すように、周面に沿って一方向に進むにつれて曲率半径が大きくなるように形成されており、その先端には突起部８ａが設けられている。上記操作レバー７を一方向に回すと、操作レバー７と連動したこの水量調整カム８も回動を始め、徐々に半径が大きくなっていく水量調整カム８の周面が散水ノズル３のノズルレバー３ｄを押し込んでいく。水量調整カム８の最大半径の位置で散水ノズル３のノズルレバー３ｄに当接すると、散水ノズル３の散水量が全開状態となるようになっており、図５に示すように、この全開状態の位置で水量調整カム８の突起部８ａが第一のカムストッパー９ａに当接する。また、操作レバー７を反対方向に回すと、水量調整カム８は徐々に半径が小さくなっていくので、その周面がノズルレバー３ｄを押し込まなくなり止水状態となる。即ち、これは図６に示す状態で、この位置でも水量調整カム８が回りすぎないように、先端の突起部８ａが第二のカムストッパー９ｂに当接して停止する。
【００２５】
この水量調整カム８は、ノズルレバー３ｄを傷つけないように軟質材で形成したり軟質材で被覆することが好ましく、或いは水量調整カム８の周面にノズルレバー３ｄを傷つけないためのゴムローラを取り付けるのが好ましい。
【００２６】
一方、化粧カバー４は、上記保持部２に脱着自在に取付けられるもので、図１、図２に示すように、天板４ａと、天板４ａから下方へ形成された側板４ｂと、天板４ａから下方へ形成された前板４ｃとからなり、散水ノズル３のノズル先端部３ａを突出させるため、側板４ｂより短い前板４ｃが形成されている。庭木に水をやるときなどは、この化粧カバー４を取り外して保持部２から散水ノズル３を取り外して使用し、手足等を洗うときなどは、化粧カバー４をそのまま取付けておけばよい。この化粧カバー４がなくても機能的には問題ないが、化粧カバー４を取付けると、散水ノズル３が隠れて水栓柱と同様の外観となり見栄えがよい。
尚、上記柱体１及び上記散水ノズル３が、木目調、レンガ調等のものであれば、この化粧カバー４も調和を図るため同様の模様が施されたものが好ましい。
【００２７】
以上のような構成の柱体１は、次に説明する排水パン５に設置される。
【００２８】
排水パン５は、図１、図３、図４に示すように、円形で断面が略凹型のもので、その底部には後述する貯水パン６に注水するための経路である注水口５ａが形成され、側壁には散水ノズル３より放出された水を外部へ排出するための排水口５ｂが形成されている。この排水パン５の底部は、バケツ等を安定して置けるように排水に影響がない程度に水平に形成するのが好ましく、耐荷重性に優れた材料で形成するか、耐荷重性に強い構造とすることがよい。また、この排水パン５に手足を洗う石鹸類や庭木を手入れする小道具類等を置いたりする棚部（不図示）や収容部（不図示）を設けてもよいし、円形状ではなく方形箱状に形成してもよい。
【００２９】
また、排水パン５の下端には後述する貯水パン６に嵌合又は螺合などで接合する環状の接合部５ｅが突設されており、排水パン５又は貯水パン６の後側には土台部５ｃが形成され（図1、図２、図３では排水パン５に土台部５ｃが設けられた場合を図示している）、その土台部５ｃより上記柱体１を設置するための支持部５ｄが立設されている。この支持部５ｄに柱体１の下端を差し込むことで柱体１は排水パン５又は貯水パン６に設置される。
【００３０】
上記排水パン５と連結する貯水パン６は、内部に水を溜めれるように中空体となっている。そして、その上端には、排水パン５の接合部５ｅと接合するための環状段部６ａが形成されている。この貯水パン６の上に排水パン５を重ね、接合部５ｅを環状段部６ａに接合することで排水パン５と貯水パン６は連結されている。このように排水パン５と貯水パン６を連結した後、散水ノズル３から水を放出し貯水パン６に水を溜める。散水ノズル３から水を放出すると、排水パン５に設けられた注水口５ａから貯水パン６に水が移動して貯水されていく。そして、貯水パン６に水が充分に溜まったら、排水パン５の注水口５ａを止水栓で閉塞する。このようにすると、柱体１は貯水パン６に溜められた水の重みで安定して設置され、転倒を防止することができる。また、水を抜けば軽量なので、持ち運びが容易で設置場所を選ばない。
尚、この貯水パン６の側壁に前述した排水パン５に設けられたような排水口を設けることも可能で、その際は、内部に貯水している水が余り排水されないように、できるだけ側壁の上側に設けることが好ましい。また、上記排水パン５とこの貯水パン６を一体に成形してもよい。
【００３１】
以上の説明から明らかなように、本発明の水栓柱風ノズル支持スタンドＳは、化粧カバー４を外して柱体１の上端に設けられた保持部２より散水ノズル３を取り外すだけで庭木や芝生に水をやったり洗車したりすることができ、また、洗車等で汚れた手足を洗いたいときやバケツに水を溜めたいときには、保持部２のノズルサポーター２ｃ及びノズルフック２ｄに散水ノズル３を保持させたままで、水栓柱と同じように使用することができる。このようにこの水栓柱風ノズル支持スタンドＳは、散水ノズル３としての機能と水栓柱としての機能を併せ持ったもので、その切換も容易である。そして、化粧カバー４によって散水ノズル３の先端部３ａ以外が覆われるので、水栓柱風の外観を呈し体裁も良好である。
【図面の簡単な説明】
【００３２】
【図１】本発明の一実施形態に係る水栓柱風ノズル支持スタンドを示す分解斜視図である。
【図２】同支持スタンドの正面図である。
【図３】同支持スタンドの左側面図である。
【図４】同支持スタンドの平面図である。
【図５】同支持スタンドの構成部材である水量調整カムを一方向に回動させて散水量が最大となるまでノズルレバーを押し込んだときの状態を示す部分拡大図である。
【図６】同支持スタンドの構成部材である水量調整カムを逆方向に回動させて散水されなくなるまでノズルレバーを戻したときの状態を示す部分拡大図である。
【図７】同支持スタンドの保持部に設けられたノズルフックの拡大断面図である。
【符号の説明】
【００３３】
Ｓ    水栓柱風ノズル支持スタンド
１    柱体（竪筒体）
２    保持部
２ａ  保持側板
２ｂ  後板
２ｃ  ノズルサポーター
２ｄ  ノズルフック
２ｅ  切欠溝
２ｆ  軸受部
３    散水ノズル
３ａ  先端部
３ｂ  握り部
３ｃ  ホース接続部
３ｄ  ノズルレバー
４    化粧カバー
４ａ  天板
４ｂ  側板
４ｃ  前板
５    排水パン
５ａ  注水口
５ｂ  排水口
６    貯水パン
７    操作レバー
７ａ  軸
８    水量調整カム
９ａ  第一のカムストッパー
９ｂ  第二のカムストッパー
１０  ホース
【図１】
2008157421.tif 000003
【図２】
2008157421.tif 000004
【図３】
2008157421.tif 000005
【図４】
2008157421.tif 000006
【図５】
2008157421.tif 000007
【図６】
2008157421.tif 000008
【図７】
2008157421.tif 000009